【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
ＰＬＬ発振回路から出力されるＰＬＬ出力クロックが不安定であることを検出する手段と、
クロックソースを、前記ＰＬＬ発振回路から出力されたＰＬＬ出力クロックとそれ以外のクロックとの間で切り換えるクロックソース切換え回路と、
前記ＰＬＬ出力クロックが不安定であることが検出された場合に、動作クロックの出力を停止させ、クロックソースをＰＬＬ出力クロック以外のクロックに切り換えさせ、ＰＬＬ出力クロックが安定した後、クロックソースをＰＬＬ出力クロックに切り換えさせ、その切り換えられたＰＬＬ出力クロックに基づいて生成された動作クロックを出力させる制御をおこなうクロック状態制御回路と、
を具備することを特徴とするクロック制御回路。
【請求項２】
前記ＰＬＬ出力クロックを分周して、前記動作クロックを生成する１または２以上の分周クロック生成用分周回路をさらに具備することを特徴とする請求項１に記載のクロック制御回路。
【請求項３】
基準となるリファレンスクロックとフィードバッククロックとに基づいて、クロックを生成するためのＰＬＬ出力クロックを生成するＰＬＬ発振回路と、
前記ＰＬＬ発振回路から出力されるＰＬＬ出力クロックを分周して前記フィードバッククロックを生成するフィードバッククロック生成用分周回路と、
クロックソースを、前記ＰＬＬ発振回路から出力されたＰＬＬ出力クロックとそれ以外のクロックとの間で切り換えるクロックソース切換え回路と、
前記ＰＬＬ出力クロックが不安定であることが検出された場合に、動作クロックの出力を停止させるとともにクロックソースをＰＬＬ出力クロック以外のクロックに切り換えさせ、ＰＬＬ出力クロックが安定した後、クロックソースをＰＬＬ出力クロックに切り換えて、その切り換えられたＰＬＬ出力クロックに基づいて生成された動作クロックを出力させる制御をおこなうクロック状態制御回路と、
を具備することを特徴とするクロック制御回路。
【請求項４】
前記ＰＬＬ発振回路の逓倍率を設定するための逓倍率設定データを出力する逓倍率設定手段と、
逓倍率設定データの取り込みが許可された時に、前記逓倍率設定手段から供給された逓倍率設定データを取り込んで保持するとともに、その取り込んだ逓倍率設定データを前記フィードバッククロック生成用分周回路に出力するバッファ回路と、
前記逓倍率設定手段から出力されている逓倍率設定データを前記バッファ回路から出力されている逓倍率設定データと比較する比較回路と、を備え、
前記クロック状態制御回路は、前記比較回路における比較の結果、２つの前記逓倍率設定データが異なる場合に、動作クロックの出力を停止させ、クロックソースをＰＬＬ出力クロック以外のクロックに切り換えさせ、前記バッファ回路から出力される逓倍率設定データを、前記逓倍率設定手段から出力されている逓倍率設定データに一致させることを特徴とする請求項３に記載のクロック制御回路。
【請求項５】
前記逓倍率設定手段から出力されている逓倍率設定データと前記バッファ回路から出力されている逓倍率設定データとの差分を検出して出力する差分検出回路と、
前記クロックソース切換え回路によるクロックソースの切り換え、および前記差分検出回路で検出された２つの前記逓倍率設定データの差分に基づいて、分周比が設定され、その設定された分周比によってＰＬＬ出力クロックを分周して、出力するための動作クロックを生成する１または２以上の分周クロック生成用分周回路と、
をさらに具備することを特徴とする請求項４に記載のクロック制御回路。
【請求項６】
前記フィードバッククロック生成用分周回路は、その動作タイミング信号を少なくとも１つの分周クロック生成用分周回路に出力し、前記動作タイミング信号を受け取った分周クロック生成用分周回路は、前記動作タイミング信号に基づいて、前記動作クロックを前記ＰＬＬ出力クロックに同期させて出力することを特徴とする請求項３〜５のいずれか一つに記載のクロック制御回路。
【請求項７】
少なくとも２つの分周クロック生成用分周回路を有し、一分周クロック生成用分周回路の動作タイミング信号に基づいて、他の分周クロック生成用分周回路の動作を、任意のオフセットタイミングによって同期させるカウンタ回路をさらに具備することを特徴とする請求項６に記載のクロック制御回路。
【請求項８】
ＰＬＬ発振回路から出力されるＰＬＬ出力クロックが不安定又は安定であることを検出し、
前記ＰＬＬ出力クロックが不安定である場合には、クロックソースを該ＰＬＬ出力クロック以外のクロックに切り替えて、該クロックソースに基づいて生成される動作クロックの出力を停止させ、
前記ＰＬＬ出力クロックが安定化した後に、クロックソースを該ＰＬＬ出力クロックに切り替えて、該クロックソースに基づいて生成される動作クロックを出力することを特徴とするクロック制御方法。
【請求項９】
前記ＰＬＬ出力クロックを分周して前記動作クロックを生成することを特徴とする請求項８に記載のクロック制御方法。
【請求項１０】
ＰＬＬ発振回路から出力されるＰＬＬ出力クロックが不安定又は安定であることを検出し、該検出結果に基づいてクロックソースを該ＰＬＬ出力クロックとそれ以外のクロックとの間で切り替えて出力するクロック制御方法において、
前記ＰＬＬ出力クロックが不安定である場合には、動作クロックの出力を停止させるとともに前記クロックソースを前記それ以外のクロックとし、
前記ＰＬＬ出力クロックが安定化した場合には、クロックソースを該ＰＬＬ出力クロックして、動作クロックの出力を開始することを特徴とするクロック制御方法。
【請求項１１】
前記動作クロックは、前記クロックソースを分周して生成されることを特徴とする請求項１０に記載のクロック制御方法。
【請求項１２】
クロックソースが供給されるＰＬＬ発振回路から出力されるＰＬＬ出力クロックが不安定又は安定であることを検出し、
前記ＰＬＬ出力クロックが不安定である場合には、動作クロックの出力を停止させるとともに前記クロックソースを前記ＰＬＬ発振回路をバイパスさせて動作クロック生成回路に供給し、
前記ＰＬＬ出力クロックが安定化した後に、前記クロックソースを前記ＰＬＬ発振回路に供給するとともに、該ＰＬＬ出力クロックを前記動作クロック生成回路に供給して動作クロックの出力を開始することを特徴とするクロック制御方法。
【請求項１３】
前記動作クロック生成回路は、分周回路であることを特徴とする請求項１３に記載のクロック制御方法。
【請求項１４】
クロックソースが供給されるＰＬＬ発振回路から出力されるＰＬＬ出力クロックが不安定又は安定であることを検出する手段と、
前記ＰＬＬ出力クロックに基づいて動作クロックを生成する動作クロック生成手段と、
前記ＰＬＬ出力クロックが不安定である場合には、動作クロックの出力を停止させるとともに、前記クロックソースを前記ＰＬＬ発振回路をバイパスさせて前記動作クロック生成手段に供給し、前記ＰＬＬ出力クロックが安定化した後に、前記クロックソースを前記ＰＬＬ発振回路に供給するとともに、該ＰＬＬ出力クロックを前記動作クロック生成手段回路に供給して動作クロックの出力を開始するクロック状態制御回路と、
を具備することを特徴とするクロック制御回路。
【請求項１５】
前記動作クロック生成手段は、分周回路であることを特徴とする請求項１４に記載のクロック制御回路。